(57)【要約】【課題】  状況に応じて、リモコンの特定のボタンの操作機能を自動的に切換えるようにして、これにより、リモコンのボタン数をむやみ増やすことなく、かつ、リモコンによる多様な操作性を損なうことのないようにし、以って、リモコンのボタン削減によるコストの低減と、ユーザーとって使いやすい操作環境の実現とを、図ること。【解決手段】  デジタル放送受信記録再生装置において、受信されたデジタル放送信号に含まれるデジタル放送データを解析し、デジタル放送データに映像情報として表示するための描画情報が含まれているか否かを判定する描画情報判定手段と、この描画情報判定手段の判定結果に基づいて、リモコンの特定のボタンによる操作内容を切換えて解釈するユーザ操作内容解釈手段とを、具備する。【選択図】      図１
2005072721.tif 000002
【特許請求の範囲】
【請求項１】
受信されたデジタル放送信号に含まれるデジタル放送データを解析し、デジタル放送データに映像情報として表示するための描画情報が含まれているか否かを判定する描画情報判定手段と、
この描画情報判定手段の判定結果に基づいて、リモコンの特定のボタンによる操作内容を切換えて解釈するユーザ操作内容解釈手段とを、
具備することを特徴とするデジタル放送受信記録再生装置。
【請求項２】
請求項１に記載のデジタル放送受信記録再生装置において、
前記ユーザ操作内容解釈手段は、前記リモコンの前記特定のボタンによる操作内容を、デジタル放送データ操作系のボタンによる操作内容またはＰＶＲ（Personal video Recorder）操作系のボタンによる操作内容の何れか一方に特定して、ユーザによる操作内容を解釈することを特徴とするデジタル放送受信記録再生装置。
【請求項３】
請求項２に記載のデジタル放送受信記録再生装置において、
前記ユーザ操作内容解釈手段は、前記描画情報判定手段による判定結果が前記描画情報無しの場合には、前記リモコンの前記特定のボタンによる操作内容を、前記ＰＶＲ操作系のボタンによる操作内容として解釈し、前記描画情報判定手段による判定結果が前記描画情報有りの場合は、前記リモコンの前記特定のボタンによる操作内容を、前記デジタル放送データ操作系のボタンによる操作内容として解釈することを特徴とするデジタル放送受信記録再生装置。
【請求項４】
請求項１または２に記載のデジタル放送受信記録再生装置において、
前記リモコンには、前記ＰＶＲ操作系専用のボタンと、前記ＰＶＲ操作系と前記デジタル放送データ操作系とに機能が択一選択される前記特定のボタンとが、設けられたことを特徴とするデジタル放送受信記録再生装置。
【発明の詳細な説明】
【技術分野】
【０００１】
本発明は、デジタル放送を受信して記録し再生する機能をもったデジタル放送記録再生装置に係り、特に、デジタル放送受信記録再生装置における操作系の機能の切換え技術に関するものである。
【背景技術】
【０００２】
放送コンテンツが階層／分岐構造をとるデジタル放送の受信装置において、デジタル放送を受信して、デジタル放送におけるデータ放送のコンテンツ情報の記述に基づいて、ユーザがリモコンにより選択項目を選択する場合と同様の指示情報を受信機が擬似的に生成して、全選択項目を網羅するような表示処理を自動的に行うことにより、ユーザが煩わしい選択操作を行うことなく、デジタル放送のコンテンツを自動的に順次確認できるようにした技術が知られている（特許文献１参照）。すなわち、この特許文献１に記載された技術では、受信装置のコンテンツ解析部が、コンテンツ情報の記述を解析して、操作可能な選択項目について全ての選択項目を網羅するような選択順序リスト（リモコン操作手順）を生成して、これを受信装置の擬似リモコン操作部に出力し、擬似リモコン操作部は、受け取った選択順序リストに従って、リモコンドライバからの信号と同様の制御信号を擬似的に生成してこれを受信装置のＢＭＬ（Broadcast Markup Language）ブラウザに対して出力し、これにより、ＢＭＬブラウザが、擬似リモコン操作部からの指示に従って、各コンテンツを自動的に一定間隔で表示するようにしている。
【０００３】
また、一般的に、デジタル放送受信記録再生装置に付随するリモコンは、図４に示したように、ＰＶＲ（Personal video Recorder）操作系用と、デジタル放送データ操作系（以降、これをＢＭＬ操作系と記す）用とに、それぞれ専用ボタンが割り振られている。ここで、ＰＶＲとは、別名ハードディスク（ＨＤＤ）レコーダとも呼ばれ、ビデオテープの代わりにハードディスクを記録メディアとして採用したビデオレコーダのことを言う。
【特許文献１】特開２００１−３５８５７１号公報
【発明の開示】
【発明が解決しようとする課題】
【０００４】
上述したように、最近のデジタルＢＳ放送に代表されるインタラクティブなサービスに対応するデジタル放送受信記録再生装置のリモコンは、図４に示したように、従来の選局操作系のボタンに加えて、ＰＶＲ機能を実現するために、録画・再生操作系のボタンや、インタラクティブ・サービス操作系ボタンなどが追加され、さらにＢＭＬ操作系のボタンも必要であるので、リモコンに搭載するボタン数が増加することは否めず、また、ボタン数の増加に伴いボタン形状が微細化したりボタン間隔が狭まるので、使い勝手が悪いという指摘があった。
【０００５】
一方、リモコンの小型化やコスト低減、操作性の向上のためには、ボタン数を減らしたいのであるが、ボタン数を減らすとリモコンによる多様な操作が行えなくなる。
【０００６】
本発明はこのような状況に鑑みなされたものであり、その目的とするところは、状況に応じて（装置の動作状態に応じて）、リモコンの特定のボタンの操作機能を自動的に切換えるようにして、これにより、リモコンのボタン数をむやみ増やすことなく、かつ、リモコンによる多様な操作性を損なうことのないようにし、以って、リモコンのボタン削減によるコストの低減と、ユーザーとって使いやすい操作環境の実現とを、図ることにある。
【課題を解決するための手段】
【０００７】
上記した目的を達成するため、本願によるデジタル放送受信記録再生装置の代表的な１つの発明では、
受信されたデジタル放送信号に含まれるデジタル放送データを解析し、デジタル放送データに映像情報として表示するための描画情報が含まれているか否かを判定する描画情報判定手段と、
この描画情報判定手段の判定結果に基づいて、リモコンの特定のボタンによる操作内容を切換えて解釈するユーザ操作内容解釈手段とを、
具備する。
【発明の効果】
【０００８】
本発明によれば、状況に応じてリモコンの特定のボタンの操作機能を自動的に切換えるようにしているので、リモコンのボタン数をむやみ増やすことなく、かつ、リモコンによる多様な操作性を損なうこともないようにすることができる。従って、リモコンのボタン削減によるコストの低減と、ユーザーとって使いやすい操作環境の実現とを、図ることができる。
【発明を実施するための最良の形態】
【０００９】
以下、本発明の実施の形態を、図面を用いて説明する。
【実施例１】
【００１０】
図１は、本発明の実施例１に係るデジタル放送受信記録再生装置の簡略化した要部ブロック図である。
【００１１】
図１において、１は受信／記録／再生部、２は、図示せぬ衛星放送受信アンテナ或いは地上デジタル放送受信アンテナ等で受信したデジタル放送信号の入力端（アンテナ信号の入力端）、３はチューナ、４は録画／再生部、５は選択部、６は映像／音声処理部、７はＢＭＬ（Broadcast Markup Language）ブラウザ部、８は映像ブレンディング部、９は音声ブレンディング部、１０は映像信号の出力端、１１は音声信号の出力端、１２は描画情報判定部、１３は、図２に示したリモコン２０からのユーザ操作に基づく操作信号を受信し、これを適宜に変換処理して出力するリモコン入力インターフェース、１４は、装置本体に設けられた図示せぬ操作キーからのユーザ操作に基づく操作信号を受信し、これを適宜に変換処理して出力するキー入力インターフェース、１５は、リモコン入力インターフェース１３を介してのリモコン２０からの操作内容、もしくはキー入力インターフェース１４を介しての装置本体の操作キーからの操作内容を解釈するユーザ操作内容解釈部、１６は、装置全体の制御を司る制御部である。
【００１２】
図１に示す構成において、アンテナで受信されたデジタル放送信号は入力端２を介してチューナ３に入力され、チューナ３では、選局受信・復調処理などの受信処理を行って、チューナ３からの出力信号は録画／再生部４と選択部５とに出力され、録画モード時には、チューナ出力（受信したデジタル放送信号）は録画／再生部４で録画（記録）される。選択部５は、チューナ３からの出力信号と、録画／再生部４で再生された再生信号とを、択一選択して後段に出力する。この選択部５からの出力信号は、圧縮された映像信号および音声信号が含まれるＡＶデータと、ＡＶデータ以外のデジタル放送データとが、多重化されて構成されるＴＳ（トランスポート・ストリーム）信号となっており、ＡＶデータは、映像／音声処理部６においてデコードされ、また、デジタル放送データは、ＢＭＬブラウザ部７においてそのデータに基づいてプログラムが実行され、両者６、７の出力は、それぞれ映像ブレンディング部８および音声ブレンディング９においてミックス処理され、映像信号は出力端１０から、音声信号は出力端１１から、それぞれ出力される。
【００１３】
ここで、受信したデジタル放送信号に選択可能な複数のコンテンツが含まれる場合は、本発明で言う上記のデジタル放送データには、例えばＥＰＧ（Electric Program Guide：電子番組ガイド）などのように、映像出力として表示するための情報（以降、これを描画情報と記す）と、ＡＶデータにリンクされそのリンク情報に基づいてプログラムが処理するための、リンク情報のような非表示（非描画）の情報とが含まれる。
【００１４】
描画情報判定部１２は、デジタル放送データに上記の描画情報が含まれているか否かを判定し、この判定結果をユーザ操作内容解釈部１５に出力する。これを受けて、ユーザ操作内容解釈部１５は、図２のリモコン２０の特定のボタンによる操作内容を、ＢＭＬ操作系（デジタル放送データ操作系）のボタンによる操作内容またはＰＶＲ操作系のボタンによる操作内容の何れか一方に特定して、ユーザによる操作内容を解釈し、解釈結果を制御部１６に出力する。ユーザ操作内容解釈部１５からユーザによる操作内容を渡された制御部１６は、装置の各部を制御して、ユーザの所望する動作を実行させる。なお、本実施例では、デジタル放送データに描画情報が含まれている場合には、装置はＢＭＬ操作系による操作が可能な状態（コンテンツの選択が可能な状態）に自動的に移行していることを前提としている。
【００１５】
なおここで、描画情報判定部１２による判定は、上記した描画情報の有無の判定結果と、予めユーザが設定しておいたユーザ規定情報とにより、行うようにしてもよい。例えば、ユーザ規定情報としてユーザの番組（コンテンツ）嗜好等々の情報を設定しておき、デジタル放送データに描画情報が含まれ、かつ、描画情報中にユーザ規定情報で規定した内容（例えば、ユーザ嗜好の種別のコンテンツのガイド等）が含まれる場合に、描画情報判定部１２が描画情報有りというの判定結果を、ユーザ操作内容解釈部１５に出力するようにしてもよい。
【００１６】
次に、描画情報の判定についての具体的動作について説明する。上述したように、一般にデジタル放送信号に選択可能な複数のコンテンツが含まれる場合は、ＡＶデータ以外のデジタル放送データには、選択可能なコンテンツをユーザに明示するための描画情報と、装置が処理するための非描画情報とが含まれている。従って、描画情報判定部１２は描画情報の有無を手がかりとして、受信したデジタル放送信号に選択可能なコンテンツが含まれているか否かを判断することができる。
【００１７】
描画情報判定部８の判定結果で制御されるユーザ操作内容解釈部１５の解釈切換えは、具体的には、例えば図２に示すように、リモコン２０の下側に配置したボタン群（４つのボタン）を、ＢＭＬ操作系兼ＰＶＲ操作系ボタン群２２とした場合に、このボタン群２２の各ボタン２２ａ〜２２ｄを、描画情報有りの際にはＢＭＬ操作系ボタンと見て操作内容を解釈し、描画情報無しの際にはＰＶＲ操作系ボタンと見て操作内容を解釈するようになっている。すなわち、本実施例では、ＢＭＬ操作系兼ＰＶＲ操作系ボタン群２２中のボタン２２ａを一時停止操作用とＵＰ（↑）操作用に兼用させ、ボタン２２ｂを停止操作用とＬＥＦＴ（←）操作用に兼用させ、ボタン２２ｃを再生操作用とＲＩＧＨＴ（→）操作用に兼用させ、ボタン２２ｄを録画操作用とＤＯＷＮ（↓）操作用に兼用させるようになっている。つまり、本実施例のリモコン２０は、図４に示した従来のリモコン５０におけるＢＭＬ操作系ボタン群５２を、ＢＭＬ操作系兼ＰＶＲ操作系ボタン群に置き換え、従来のリモコン５０におけるＰＶＲ操作系ボタン群５２から、一時停止操作ボタン、再生操作ボタン、停止操作ボタン、録画操作ボタンを割愛した形態となっており、これにより、従来のリモコン５０と同様の操作機能を持ちつつ、ボタン数の削減を図れるようになっている。なお、図２において、２１はＰＶＲ操作専用のＰＶＲ操作系ボタン群である。
【００１８】
図３は、ＢＭＬ操作系兼ＰＶＲ操作系ボタン群２２の各ボタン２２ａ〜２２ｄを操作することでリモコン２０から発信されるＲＣ（リモコン）コードと、描画情報の有無に応じてユーザ操作内容解釈部１５で解釈される操作内容との関係を示している。図３に示すように、ボタン２２ａを操作することにより発信されるＲＣコードＡは、描画情報有りの場合にはＵＰ（↑）指令と解釈され、描画情報無しの場合には一時停止指令と解釈される。また、ボタン２２ｂを操作することにより発信されるＲＣコードＢは、描画情報有りの場合にはＬＥＦＴ（←）指令と解釈され、描画情報無しの場合には停止指令と解釈される。また、ボタン２２ｃを操作することにより発信されるＲＣコードＣは、描画情報有りの場合にはＲＩＧＨＴ（→）指令と解釈され、描画情報無しの場合には再生指令と解釈される。また、ボタン２２ｄを操作することにより発信されるＲＣコードＤは、描画情報有りの場合にはＤＯＷＮ（↓）指令と解釈され、描画情報無しの場合には録画指令として解釈される。
【産業上の利用可能性】
【００１９】
なお、上述した実施例では、ＢＭＬ操作系兼ＰＶＲ操作系ボタンとして４つのボタンを示したが、ＢＭＬ操作系兼ＰＶＲ操作系ボタンの数や配置、あるいは、各ＢＭＬ操作系兼ＰＶＲ操作系ボタンに担わせるＢＭＬ操作系およびＰＶＲ操作系の操作内容は任意である。
【図面の簡単な説明】
【００２０】
【図１】本発明の実施例１に係るデジタル放送受信記録再生装置の簡略化した要部ブロック図である。
【図２】本発明の実施例１に係るデジタル放送受信記録再生装置のリモコンのボタン構成を示す説明図である。
【図３】本発明の実施例１における、リモコンのＢＭＬ操作系兼ＰＶＲ操作系ボタン群の各ボタンを操作することでリモコンから発信されるＲＣコードと、描画情報の有無に応じてユーザ操作内容解釈部で解釈される操作内容との関係を示す表図である。
【図４】従来のリモコンのボタン構成例を示す説明図である。
【符号の説明】
【００２１】
１  受信／記録／再生部
２  アンテナ信号の入力端
３  チューナ
４  録画／再生部
５  選択部
６  映像／音声処理部
７  ＢＭＬブラウザ部
８  映像ブレンディング部
９  音声ブレンディング部
１０  映像信号の出力端
１１  音声信号の出力端
１２  描画情報判定部
１３  リモコン入力インターフェース
１４  キー入力インターフェース
１５  ユーザ操作内容解釈部
１６  制御部
２０  リモコン
２１  ＰＶＲ操作系ボタン群
２２  ＢＭＬ操作系兼ＰＶＲ操作系ボタン群
２２ａ、２２ｂ、２２ｃ、２２ｄ  ボタン
【図１】
2005072721.tif 000003
【図２】
2005072721.tif 000004
【図３】
2005072721.tif 000005
【図４】
2005072721.tif 000006